(57)【要約】本開示は、無線通信システムにおける、無線デバイスに対する非対称アップリンク及びダウンリンク帯域幅割り当てをサポートし、無線デバイスに対する帯域幅割り当てを動的に修正する技術に関する。セルラ通信リンクが、基地局と無線デバイスとの間で確立されてもよい。基地局は、無線デバイスに対するアップリンク帯域幅割り当て及びダウンリンク帯域幅割り当てを決定してもよい。アップリンク帯域幅割り当て及びダウンリンク帯域幅割り当ては、異なる基準に基づいて選択されてもよく、異なる量の帯域幅を含んでもよい。アップリンク帯域幅割り当て及びダウンリンク帯域幅割り当ての指示が、無線デバイスに提供されてもよい。基地局及び無線デバイスは、アップリンク帯域幅割り当て及びダウンリンク帯域幅割り当てに従って通信してもよい。
2019501543.tif 000002
【特許請求の範囲】
【請求項１】
アンテナと、
前記アンテナに連結した無線機と、
前記無線機に連結した処理要素と、を備える基地局であって、
前記アンテナ、前記無線機、及び前記処理要素は、
無線デバイスとのセルラ通信リンクを確立し、
前記無線デバイスに対するアップリンク帯域幅割り当てを決定し、
前記アップリンク帯域幅割り当ての指示を前記無線デバイスに提供し、
前記無線デバイスに対するダウンリンク帯域幅割り当てを決定し、
前記ダウンリンク帯域幅割り当ての指示を前記無線デバイスに提供し、
前記アップリンク帯域幅割り当て及び前記ダウンリンク帯域幅割り当てに従って、前記無線デバイスと通信する、
ように構成される、基地局。
【請求項２】
前記アップリンク帯域幅割り当てを決定することは、前記無線デバイスのカテゴリに少なくとも部分的に基づいている、請求項１に記載の基地局。
【請求項３】
前記アンテナ、前記無線機、及び前記処理要素は、
バッファステータスレポートを前記無線デバイスから受信するように更に構成され、
前記アップリンク帯域幅割り当てを決定することは、前記バッファステータスレポートに少なくとも部分的に基づいている、請求項１に記載の基地局。
【請求項４】
前記アンテナ、前記無線機、及び前記処理要素は、
前記セルラ通信リンクに対するチャネル品質情報を前記無線デバイスから受信するように更に構成され、
前記アップリンク帯域幅割り当てを決定することは、前記無線デバイスから受信された前記セルラ通信リンクに関する前記チャネル品質情報に少なくとも部分的に基づいている、請求項１に記載の基地局。
【請求項５】
前記アンテナ、前記無線機、及び前記処理要素は、
前記無線デバイスとの前記セルラ通信リンクに関する１つ以上のチャネル品質測定を実行するように更に構成され、
前記アップリンク帯域幅割り当てを決定することは、前記無線デバイスとの前記セルラ通信リンクに関する前記１つ以上のチャネル品質測定に少なくとも部分的に基づいている、請求項１に記載の基地局。
【請求項６】
前記アップリンク帯域幅割り当てを決定するために、前記アンテナ、前記無線機、及び前記処理要素は、少なくとも狭帯域アップリンク帯域幅割り当て及び広帯域アップリンク帯域幅割り当てからアップリンク帯域幅割り当てを選択するように更に構成され、
前記広帯域帯域幅割り当ては、前記無線デバイスからの予想される今後のアップリンクデータの量がデータ量閾値を上回っており、かつ前記セルラ通信リンクが良好な信号条件を現在経験している場合に選択され、
前記狭帯域帯域幅割り当ては、前記無線デバイスからの予想される今後のアップリンクデータの量がデータ量閾値を下回っている場合、又は前記セルラ通信リンクが良好な信号条件を現在経験していない場合に選択される、請求項１に記載の基地局。
【請求項７】
前記無線デバイスに対する前記アップリンク帯域幅割り当て及び前記無線デバイスに対する前記ダウンリンク帯域幅割り当ては、異なる量の帯域幅を含む、請求項１に記載の基地局。
【請求項８】
前記アンテナ、前記無線機、及び前記処理要素は、
前記無線デバイスに対する前記アップリンク帯域幅割り当てを修正すると決定し、
前記修正されたアップリンク帯域幅割り当ての指示を前記無線デバイスに提供するように更に構成される、請求項１に記載の基地局。
【請求項９】
前記アンテナ、前記無線機、及び前記処理要素は、
前記無線デバイスに対する前記ダウンリンク帯域幅割り当てを修正すると決定し、
前記修正されたダウンリンク帯域幅割り当ての指示を前記無線デバイスに提供するように更に構成される、請求項１に記載の基地局。
【請求項１０】
基地局に、
無線デバイスとのセルラ通信リンクを確立させ、
１つ以上のアップリンク帯域幅割り当て選択基準に基づいて、前記無線デバイスに対するアップリンク帯域幅割り当てを決定させ、
１つ以上のダウンリンク帯域幅割り当て選択基準に基づいて、前記無線デバイスに対するダウンリンク帯域幅割り当てを決定させ、
前記アップリンク帯域幅割り当て選択基準及び前記ダウンリンク帯域幅割り当て選択基準は、異なる選択基準を含み、
前記アップリンク帯域幅割り当て及び前記ダウンリンク帯域幅割り当ての指示を前記無線デバイスに提供させ、
前記アップリンク帯域幅割り当て及び前記ダウンリンク帯域幅割り当てに従って、無線デバイスと通信させる、
ように構成された処理要素を備える、装置。
【請求項１１】
前記アップリンク帯域幅割り当て選択基準は、
前記無線デバイスのアップリンクデバイスカテゴリ、
前記無線デバイスからの今後のアップリンクデータの予想量、
前記セルラ通信リンクが確立される通信チャネルのチャネル品質、のうちの１つ以上を含む、請求項１０に記載の装置。
【請求項１２】
第１のアップリンクデバイスカテゴリに対する前記アップリンク帯域幅割り当てを決定するために、前記処理要素は、前記基地局に、少なくとも狭帯域アップリンク帯域幅割り当て及び広帯域アップリンク帯域幅割り当てからアップリンク帯域幅割り当てを選択させるように更に構成され、
前記広帯域帯域幅割り当ては、前記無線デバイスからの今後のアップリンクデータの前記予想量がデータ閾値を上回り、前記チャネル品質がチャネル品質閾値を上回る場合に選択され、
前記狭帯域帯域幅割り当ては、前記無線デバイスからの今後のアップリンクデータの前記予想量がデータ閾値を下回る、又は前記チャネル品質が前記チャネル品質閾値を下回る場合に選択される、請求項１１に記載の装置。
【請求項１３】
前記ダウンリンク帯域幅割り当て選択基準は、
前記無線デバイスのダウンリンクデバイスカテゴリ、
前記無線デバイスに対する今後のダウンリンクデータの予想量、
前記セルラ通信リンクが確立される通信チャネルのチャネル品質、のうちの１つ以上を含む、請求項１０に記載の装置。
【請求項１４】
前記セルラ通信リンクは、第３世代パートナーシッププロジェクト（３ＧＰＰ）セルラ通信技術に従って確立され、
前記アップリンク帯域幅割り当て及び前記ダウンリンク帯域幅割り当ての前記指示は、１つ以上無線リソース制御（ＲＲＣ）情報要素（ＩＥ）に含まれる、請求項１０に記載の装置。
【請求項１５】
アンテナと、
前記アンテナに連結した無線機と、
前記無線機に連結した処理要素と、を備える無線デバイスであって、
前記アンテナ、前記無線機、及び前記処理要素は、
基地局とのセルラ通信リンクを確立し、
前記無線デバイスに対するアップリンク帯域幅割り当ての指示を受信し、
前記無線デバイスに対するダウンリンク帯域幅割り当ての指示を受信し、
前記アップリンク帯域幅割り当て及び前記ダウンリンク帯域幅割り当てに従って、前記基地局と通信する、
ように構成され、
前記無線デバイスに対する前記アップリンク帯域幅割り当て及び前記無線デバイスに対する前記ダウンリンク帯域幅割り当ては、異なる量の帯域幅を含む、無線デバイス。
【請求項１６】
前記アップリンク帯域幅割り当ては、最大アップリンク通信帯域幅を含み、
前記無線デバイスは、前記アップリンク帯域幅割り当てに基づいて、狭帯域アップリンクモード又は広帯域アップリンクモードで前記無線機を動作させるように構成され、
前記ダウンリンク帯域幅割り当ては、最大ダウンリンク通信帯域幅を含み、
前記無線デバイスは、前記ダウンリンク帯域幅割り当てに基づいて、狭帯域ダウンリンクモード又は広帯域ダウンリンクモードで前記無線機を動作させるように構成される、請求項１５に記載の無線デバイス。
【請求項１７】
前記アンテナ、前記無線機、及び前記処理要素は、
修正されたアップリンク帯域幅割り当ての指示を受信し、
前記修正されたアップリンク帯域幅割り当てに従って、前記基地局と通信する、ように更に構成される、請求項１５に記載の無線デバイス。
【請求項１８】
前記アンテナ、前記無線機、及び前記処理要素は、
修正されたダウンリンク帯域幅割り当ての指示を受信し、
前記修正されたダウンリンク帯域幅割り当てに従って、前記基地局と通信する、ように更に構成される、請求項１５に記載の無線デバイス。
【請求項１９】
前記アンテナ、前記無線機、及び前記処理要素は、
前記基地局との前記セルラ通信リンクに関する１つ以上のチャネル品質測定を実行し、
前記セルラ通信リンクに関するチャネル品質情報を前記基地局に提供する、ように更に構成され、
前記アップリンク帯域幅割り当て又は前記ダウンリンク帯域幅割り当てのうちの１つ以上は、前記チャネル品質情報に少なくとも部分的に基づいている、請求項１５に記載の無線デバイス。
【請求項２０】
前記アンテナ、前記無線機、及び前記処理要素は、
前記無線デバイスによってバッファリングされたアップリンクデータの量を判定し、
バッファステータスレポートを前記基地局に提供する、ように更に構成され、前記バッファステータスレポートは、前記無線デバイスによってバッファリングされた前記アップリンクデータの量の指示を提供し、
前記アップリンク帯域幅割り当ては、前記バッファステータスレポートに少なくとも部分的に基づいている、請求項１５に記載の無線デバイス。
【発明の詳細な説明】
【技術分野】
【０００１】
本出願は、無線通信システムにおける非対称アップリンク及びダウンリンク帯域幅をサポートする技術を含む、無線通信に関する。
【背景技術】
【０００２】
無線通信システムの利用が急速に伸びている。更には、無線通信技術は、音声のみの通信から、インターネット及びマルチメディアコンテンツなどの、データの伝送も含むまでに進化した。
【０００３】
モバイル電子デバイスは、ユーザが一般的に持ち運ぶスマートフォン又はタブレットの形式をとることがある。ウェアラブルデバイス（アクセサリデバイスとも称される）は、モバイル電子デバイスのより新しい形式であり、１つの例がスマートウォッチである。更に、静止又はノマディック配備を意図した低コスト低複雑度の無線デバイスがまた、「モノのインターネット」を発展させる一部として急増している。多くのそのようなデバイスは、相対的に限定された無線通信能力を有し、一般的には、スマートフォン及びタブレット等のより大きなポータブルデバイスよりも小さなバッテリを有する。一般的に、そのようなデバイスの相対的に限定された無線通信能力に対するサポートを認識及び提供することが望ましい。したがって、当該分野における改善が望まれる。
【発明の概要】
【０００４】
とりわけ、無線通信システムにおけるアップリンク及びダウンリンク通信のための動的に調節可能かつ潜在的な非対称帯域幅をサポートするシステム、装置及び方法の実施形態が本明細書で提示される。
【０００５】
無線デバイスの通信要求は、少なくともいくつかの例では、時間と共に変わることがある。例えば、ある時では、無線デバイスは、いずれかのデータがある場合に最小限で通信することがあり、他の時では、無線デバイスは、より大量のデータを通信することがある。更に、少なくともいくつかの例では、無線デバイスによるアップリンク及びダウンリンク通信のバランスは、ある時では、相対的に等しいことがあり、他の時では、実質的に異なることがある。
【０００６】
そのような可変的な通信特性を考慮して、無線デバイス及びセルラネットワークは一般的に、柔軟なかつ潜在的な非対称アップリンク及びダウンリンク帯域幅割り当てをサポートすることから利益を受けることがある。この開示は、セルラ基地局及び無線デバイスがそのような動的に調節可能かつ潜在的な非対称アップリンク及び帯域幅割り当てをサポートする方式で通信するための様々な技術を提示する。
【０００７】
そのような技術は、少なくともいくつかの実施形態によれば、無線機器が、それらのサービングセルによって提供される現在のアップリンク及び帯域ダウンリンク帯域幅割り当てに応じて、相対的に広帯域幅又は相対的に狭帯域幅の通信のためにそれらの無線構成要素を構成し、それによって、潜在的により電力効率のよい方式で動作することを可能にすることによって、無線デバイスに利益を与える。そのような技術は更に、又は代替的に、一般的に、より効率的な無線リソースの全体的な使用を可能にすることによって、セルラネットワークに利益を与える。なぜなら、１つのデバイスに対して帯域幅割り当てを減らす方向に調節することは一般的に、別のデバイスに対して帯域幅割り当てを増加方向に調節するためにリソースを解放することができ、逆も同様であるからである。
【０００８】
本明細書で説明する技術は、セルラ電話、タブレットコンピュータ、アクセサリ及び／又はウェアラブルコンピューティングデバイス、ポータブルメディアプレーヤ、セルラ基地局及び他のセルラネットワークのインフラ装置、サーバ、並びに様々な他のコンピューティングデバイスのうちのいずれかを含むがこれらに限定されない、多数の異なる種類のデバイス内で実施し、及び／又はそれらと共に使用することができる。
【０００９】
この発明の概要は、この文書に記載された主題のいくつかの簡単な概要を提供することを意図している。したがって、上述した特徴は単なる例にすぎず、いかなる方法でも、本明細書に記載する主題の範囲又は趣旨を狭めるように解釈すべきではないことが理解されよう。本明細書に記載する主題の他の特徴、態様及び利点は、後続の発明を実施するための形態、図面及び特許請求の範囲から明らかになるであろう。
【図面の簡単な説明】
【００１０】
実施形態の以下の詳細な説明について以下図面と併せて考察すると、本発明の主題をより良く理解することができる。
【００１１】
【図１】いくつかの実施形態による、アクセサリデバイスを含む例示的な無線通信システムを示す。
【００１２】
【図２】いくつかの実施形態による、アクセサリデバイスが選択的に、セルラ基地局と直接通信するか、又はスマートフォン等の中間デバイス若しくはプロキシデバイスのセルラ能力を利用することのいずれかができる例示的なシステムを示す。
【００１３】
【図３】いくつかの実施形態による、例示的な無線デバイスを示すブロック図である。
【００１４】
【図４】いくつかの実施形態による、例示的な基地局を示すブロック図である。
【００１５】
【図５】いくつかの実施形態による、非対称アップリンク及びダウンリンク帯域幅割り当てのサポートを伴って無線デバイスに対するアップリンク及びダウンリンク帯域幅割り当てを動的に選択する例示的な方法を示す通信フロー図である。
【００１６】
【図６】いくつかの実施形態による、あるデバイスカテゴリに対する考えられるサポートされる最大アップリンク及びダウンリンクチャネル帯域幅を示すテーブルの例示的な部分である。
【００１７】
本明細書で説明される特徴は、様々な修正及び代替形態を受け入れる余地があるが、その特定の実施形態を例として図面に示し、本明細書で詳細に説明する。しかし、図面及びそれらに対する詳細な説明は、開示されている特定の形態に限定することを意図されているのではなく、逆にその意図は、添付の請求項によって定義されている全ての本主題の趣旨及び範囲内に入る全ての変更、均等物及び代替物を範囲に含むことを理解されるべきである。
【発明を実施するための形態】
【００１８】
頭字語
本開示では、以下の頭字語が使用される。
【００１９】
３ＧＰＰ：第３世代パートナーシッププロジェクト
【００２０】
３ＧＰＰ２：第３世代パートナーシッププロジェクト２
【００２１】
ＧＳＭ：移動通信用のグローバルシステム
【００２２】
ＵＭＴＳ：ユニバーサル移動体通信システム（Universal Mobile Telecommunications System）
【００２３】
ＬＴＥ：ロングタームエボリューション（Long Term Evolution）
専門用語
【００２４】
以下は、本開示で使用される用語の定義である。
【００２５】
記憶媒体−さまざまな種類の非一時的メモリデバイス又は記憶デバイスのうちの任意のもの。用語「記憶媒体」は、インストール媒体、例えば、ＣＤ−ＲＯＭ、フロッピーディスク、又はテープデバイス；ＤＲＡＭ、ＤＤＲ  ＲＡＭ、ＳＲＡＭ、ＥＤＯ  ＲＡＭ、ラムバスＲＡＭなどのコンピュータシステムメモリ又はランダムアクセスメモリ；フラッシュ、磁気媒体、例えば、ハードドライブ、又は光記憶装置、などの不揮発性メモリ；レジスタ、又はその他の同様の種類のメモリ要素等を含むことが意図されている。記憶媒体は、他の種類の非一時的メモリ、並びにそれらの組み合せも含んでもよい。更に、記憶媒体は、プログラムが実行される第１のコンピュータシステム内に配置されてもよく、あるいは、インターネットなどのネットワークを介して、第１のコンピュータシステムに接続する別の第２のコンピュータシステム内に配置されてもよい。後者の例では、第２のコンピュータシステムは、実行のために、プログラム命令を第１のコンピュータシステムに提供することができる。用語「記憶媒体」は、異なる場所、例えば、ネットワークを介して接続された異なるコンピュータシステム内に存在し得る、２つ以上の記憶媒体を含んでもよい。記憶媒体は、１つ以上のプロセッサによって実行され得るプログラム命令（例えば、コンピュータプログラムとして具現化された）を記憶することができる。
【００２６】
キャリア媒体−上述のような記憶媒体、並びに、物理的伝送媒体（バス、ネットワークなど）、及び／又は、信号（電気的信号、電磁気的信号、若しくはデジタル信号など）を伝達する他の物理的伝送媒体。
【００２７】
プログラム可能ハードウェア要素−プログラム可能相互接続子を介して接続された複数のプログラム可能機能ブロックを備える、様々なハードウェアデバイスを含む。例としては、ＦＰＧＡ（Ｆｉｅｌｄ  Ｐｒｏｇｒａｍｍａｂｌｅ  Ｇａｔｅ  Ａｒｒａｙ、フィールドプログラマブルゲートアレイ）、ＰＬＤ（Ｐｒｏｇｒａｍｍａｂｌｅ  Ｌｏｇｉｃ  Ｄｅｖｉｃｅ、プログラム可能論理デバイス）、ＦＰＯＡ（Ｆｉｅｌｄ  Ｐｒｏｇｒａｍｍａｂｌｅ  Ｏｂｊｅｃｔ  Ａｒｒａｙ、フィールドプログラマブルオブジェクトアレイ）、及びＣＰＬＤ（Ｃｏｍｐｌｅｘ  ＰＬＤ、複合ＰＬＤ）が挙げられる。プログラム可能機能ブロックは、細かい粒度のもの（組み合わせ論理又はルックアップテーブル）から粗い粒度のもの（算術論理ユニット又はプロセッサコア）にまで及び得る。プログラム可能ハードウェア要素はまた、「再構成可能論理」と称することもできる。
【００２８】
コンピュータシステム−パーソナルコンピュータシステム（ＰＣ）、メインフレームコンピュータシステム、ワークステーション、ネットワーク装置、インターネット装置、携帯情報端末（ＰＤＡ）、テレビシステム、グリッドコンピューティングシステム、又はその他のデバイス若しくはデバイスの組み合わせ、を含むさまざまな種類のコンピューティング又は処理システムのうちの任意のもの。一般的に、用語「コンピュータシステム」は、記憶媒体からの命令を実行する少なくとも１つのプロセッサを有する任意のデバイス（又はデバイスの組み合わせ）を包含するように広範に定義することができる。
【００２９】
ユーザ装置（ＵＥ）（又は「ＵＥデバイス」）−移動式又は携帯式であり、無線通信を実行する、様々な種類のコンピュータシステムデバイスのうちのいずれか。ＵＥデバイスの例としては、携帯電話又はスマートフォン（例えば、ｉＰｈｏｎｅ（商標）、Ａｎｄｒｏｉｄ（商標）ベースの電話）、ポータブルゲームデバイス（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ラップトップ、ウェアラブルデバイス（例えば、スマートウォッチ、スマートグラス）、ＰＤＡ、ポータブルインターネットデバイス、音楽プレーヤ、データ記憶デバイス、又は他のハンドヘルドデバイス等が挙げられる。一般に、用語「ＵＥ」又は「ＵＥデバイス」は、ユーザによって容易に持ち運ばれ、無線通信が可能な、あらゆる電子的、コンピューティング及び／又は遠隔通信デバイス（又はデバイスの組み合せ）を包含するように幅広く定義され得る。
【００３０】
無線デバイス−無線通信を実行する様々な種類のコンピュータシステムデバイスのうちの任意のもの。無線デバイスは、携帯式（若しくは移動式）とすることができる、又は特定の位置に静止若しくは固定することができる。ＵＥは、無線デバイスの一例である。
【００３１】
通信デバイス−通信を実行する様々な種類のコンピュータシステム又はデバイスのうちの任意のものであって、通信は、有線又は無線とすることができる。通信デバイスは、携帯式（若しくは移動式）とすることができる、又は特定の位置に静止若しくは固定することができる。無線デバイスは、通信デバイスの一例である。ＵＥは、通信デバイスの別の例である。
【００３２】
基地局−用語「基地局（「ｅＮＢ」とも呼ばれる）」は、その通常の意味の全範囲を有し、少なくとも、固定場所に設置され、無線セルラ通信システムの一部として通信するために使用される無線通信局を含む。
【００３３】
リンクバジェットが限定された−その通常の意味の全範囲を含み、少なくとも、リンクバジェットが限定されていないデバイスと比べて又は、そのデバイスのために無線アクセス技術（radio access technology）（ＲＡＴ）規格が開発されたデバイスと比べて、限定された通信能力、又は限定された電力を呈する無線デバイス（例えば、ＵＥ）の特性を含む。リンクバジェットが限定された無線デバイスは、相対的に限定された受信及び／又は送信能力を経験することがあり、それは、デバイス設計、デバイスのサイズ、バッテリのサイズ、アンテナのサイズ若しくは設計、送信電力、受信電力、現在の伝送媒体条件、及び／又は他の要因等の、１つ以上の要因に起因する場合がある。そのようなデバイスは、本明細書で「リンクバジェットが限定された」（又は「リンクバジェットが制約された」）デバイスと呼ばれる場合がある。デバイスは、そのサイズ、バッテリ電力、及び／又は送信／受信電力により、本質的にリンクバジェットが限定される場合がある。例えば、ＬＴＥ又はＬＴＥ−Ａを介して基地局と通信しているスマートウォッチは、その低減された送信／受信電力及び／又は縮小されたアンテナにより、本質的にリンクバジェットが限定される場合がある。スマートウォッチ等のウェアラブルデバイスは、一般的にリンクバジェットが限定されたデバイスである。あるいは、デバイスは、本質的にリンクバジェットが限定されない場合があり、例えば、ＬＴＥ又はＬＴＥ−Ａを介した通常の通信のために充分なサイズ、バッテリ電力、及び／又は送信／受信電力を有する場合があるが、例えば、セルの縁部にあるスマートフォンなどの、現在の通信条件により一時的にリンクバジェットが限定される場合がある。用語「リンクバジェットが限定された」は、電力制限を含む又は包含し、したがって、電力が限定されたデバイスは、リンクバジェットが限定されたデバイスと考え得ることを留意されたい。
【００３４】
処理要素（又はプロセッサ）−様々な要素又は要素の組み合わせを指す。処理要素は、例えば、ＡＳＩＣ（Application Specific Integrated Circuit、特定用途向け集積回路）等の回路、個別のプロセッサコアの一部分若しくは回路、プロセッサコア全体、個別のプロセッサ、フィールドプログラマブルゲートアレイ（field programmable gate array、ＦＰＧＡ）等のプログラム可能ハードウェアデバイス、及び／又は複数のプロセッサを含むシステムのより大きい部分、を含む。
【００３５】
自動的に−アクション又は動作を直接指定又は実行するユーザ入力なしに、コンピュータシステム（例えば、コンピュータシステムによって実行されるソフトウェア）又はデバイス（例えば、回路、プログラム可能ハードウェア要素、ＡＳＩＣ等）によって実行される、アクション又は動作を指す。したがって、「自動的に」という用語は、ユーザが入力を提供することにより動作を直接実行する、ユーザによって手作業で実行又は指定される動作とは対照的である。自動手順は、ユーザによって提供される入力によって開始することができるが、「自動的に」実行される後続のアクションは、ユーザによって指定されず、即ち、実行するべき各アクションをユーザが指定する「手作業」では実行されない。例えば、ユーザが、各欄を選択して、情報を指定する入力を提供することによって（例えば、情報を打ち込むこと、チェックボックス、ラジオ選択を選択することなどによって）、電子フォームに記入することは、たとえ、コンピュータシステムが、そのユーザのアクションに応じて、そのフォームを更新しなければならなくても、手作業でフォームに記入することになる。コンピュータシステム（例えば、コンピュータシステム上で実行されるソフトウェア）が、フォームの欄を分析して、その欄に対する回答を指定するユーザ入力を全く伴わずに、フォームに記入する場合、そのフォームは、コンピュータシステムによって自動的に記入されてもよい。上述のように、ユーザは、フォームの自動記入を呼び出すことができるが、フォームの実際の記入には関与しない（例えば、ユーザは、フィールドに対する回答を手作業で指定しないで、むしろ、その回答は自動的に完了するといえる）。本明細書は、ユーザが行ったアクションに応じて動作が自動的に実行される、様々な例を提供する。
【００３６】
するように構成される−様々な構成要素は、タスク又はタスク群を実行「するように構成される（configured to）」と説明される場合がある。このような文脈において、「〜するように構成される」とは、動作時にそのタスク又はタスク群を実行する「構造を有する」ことを大まかに意味する広義の表現である。このため、構成要素は、その構成要素が現在タスクを実行していないときでも、そのタスクを実行するように構成可能である（例えば、導電体のセットは、２つのモジュールが接続されていないときでも、モジュールを別のモジュールに電気的に接続するように構成されてもよい）。このような文脈において、「〜するように構成される」とは、動作時にそのタスク又はタスク群を実行する「回路機構を有する」ことを大まかに意味する、構造の広義の表現であり得る。したがって、構成要素は、その構成要素が現在動作していないときであっても、タスクを実行するように構成可能である。一般に、「ｃｏｎｆｉｇｕｒｅｄ  ｔｏ（構成される）」に対応する構造を形成する回路は、ハードウェア回路を含むことができる。
【００３７】
説明上の便宜のために、種々の構成要素がタスク又はタスク群を実行するものとして説明される場合がある。このような説明は、「〜するように構成される」という語句を含むと解釈されるべきである。１つ以上のタスクを実行するように構成される構成要素を表現することは、米国特許法第１１２条、第６段落の構成要素についての解釈を行使しないことを明示的に意図している。
図１〜図２−無線通信システム
【００３８】
図１は、無線セルラ通信システムの例を示す。図１は、多数の中での１つの可能性を表し、本開示の特徴は、要望に応じて、様々なシステムのうちのいずれかで実施されてもよいことに留意されたい。例えば、本明細書で説明される実施形態は、任意の種類の無線デバイスで実施されてもよい。
【００３９】
図示のように、例示的な無線通信システムは、伝送媒体を介して１つ以上の無線デバイス１０６Ａ、１０６Ｂ等、並びにアクセサリデバイス１０７と通信するセルラ基地局１０２を含む。無線デバイス１０６Ａ、１０６Ｂ、及び１０７は、本明細書で「ユーザ機器」（ＵＥ）又はＵＥデバイスと称され得るユーザデバイスであってもよい。
【００４０】
基地局１０２は、送受信基地局（ＢＴＳ）又はセルサイトとすることができ、ＵＥデバイス１０６Ａ、１０６Ｂ、及び１０７との無線通信を可能にするハードウェアを含み得る。基地局１０２Ａは、ネットワーク１００（例えば、様々な可能性の中で、セルラサービスプロバイダのコアネットワーク、公衆交換電話網（ＰＳＴＮ）等の電気通信ネットワーク、及び／又はインターネット）と通信する機能を備えることもできる。よって、基地局１０２は、ＵＥデバイス１０６及び１０７の間で、並びに／又はＵＥデバイス１０６／１０７とネットワーク１００との間の通信を促進することができる。その他の実施態様では、基地局１０２は、８０．２１１ａ、ｂ、ｇ、ｎ、ａｃ、ａｄ、及び／若しくはａｘ等の１つ以上のＷＬＡＮプロトコル、又は非ライセンス帯域におけるＬＴＥ（LTE in an unlicensed band、ＬＡＡ）をサポートするアクセスポイント等、１つ以上のその他の無線技術を介して通信を提供するように構成されてもよい。
【００４１】
基地局１０２の通信領域（又はカバレッジ領域）は、「セル」と呼ばれることがある。基地局１０２及びＵＥ１０６／１０７は、ＧＳＭ、ＵＭＴＳ（ＷＣＤＭＡ、ＴＤＳ−ＣＤＭＡ）、ＬＴＥ、ＬＴＥ−Ａｄｖａｎｃｅｄ（ＬＴＥ−Ａ）、ＨＳＰＡ、３ＧＰＰ２  ＣＤＭＡ２０００（例えば１ｘＲＴＴ、１ｘＥＶ−ＤＯ、ＨＲＰＤ、ｅＨＲＰＤ）、Ｗｉ−Ｆｉ、ＷｉＭＡＸ等の、様々な無線アクセス技術（ＲＡＴ）又は無線通信技術のいずれかを使用して、伝送媒体を介して通信するように構成されてもよい。
【００４２】
よって、１つ以上のセルラ通信技術に従って動作する基地局１０２及びその他の同様の基地局（図示せず）は、１つ以上のセルラ通信技術を介して、持続的又はほぼ持続的な重なり合うサービスを、ある地理的エリア中のＵＥデバイス１０６Ａ〜Ｎ及び１０７、並びに同様のデバイスに提供し得る、セルのネットワークとして提供されてもよい。
【００４３】
少なくともいくつかの例では、ＵＥデバイス１０６／１０７は、複数の無線通信技術のうちのいずれかを使用して通信することが可能であることに留意されたい。例えば、ＵＥデバイス１０６／１０７は、ＧＳＭ、ＵＭＴＳ、ＣＤＭＡ２０００、ＷｉＭＡＸ、ＬＴＥ、ＬＴＥ−Ａ、ＷＬＡＮ、Ｂｌｕｅｔｏｏｔｈ、１つ以上のグローバル衛星航法システム（ＧＮＳＳ、例えばＧＰＳ又はＧＬＯＮＡＳＳ）、１つ及び／又は複数のモバイルテレビ放送規格（例えば、ＡＴＳＣ−Ｍ／Ｈ）等のうちの１つ以上を使用して通信するように構成され得る。無線通信技術の他の組み合わせ（２つより多い無線通信技術を含む）も可能である。同様に、いくつかの例では、ＵＥデバイス１０６／１０７は、単一の無線通信技術のみを使用して通信するように構成されてもよい。
【００４４】
ＵＥ１０６Ａ及び１０６Ｂは一般的に、スマートフォン又はタブレット等のハンドヘルドデバイスであるが、セルラ通信能力を有する様々な種類のデバイスのうちのいずれかであってもよい。例えば、ＵＥ１０６Ａ及び１０６Ｂのうちの１つ以上は、装置、測定デバイス、制御デバイス等の静止又はノマディック配備を意図した無線デバイスであってもよい。ＵＥ１０６Ｂは、アクセサリデバイス１０７と呼ばれることがあるＵＥデバイス１０７と通信するように構成されてもよい。アクセサリデバイス１０７は、様々な種類の無線デバイスのうちのいずれか、ＵＥ１０６に対して、一般的には小さいフォームファクタを有するウェアラブルデバイスであることがあり、限定されたバッテリ、出力電力、及び／又は通信能力を有することがある。１つの共通した例として、ＵＥ１０６Ｂは、ユーザによって持ち運ばれるスマートフォンであってもよく、アクセサリデバイス１０７は、その同一のユーザによって着用されるスマートウォッチであってもよい。ＵＥ１０６Ｂ及びアクセサリデバイス１０７は、Ｂｌｕｅｔｏｏｔｈ又はＷｉ−Ｆｉ等の、様々な短距離通信プロトコルのうちのいずれかを使用して通信してもよい。
【００４５】
アクセサリデバイス１０７は、セルラ通信能力を含み、よってセルラ基地局１０２と直接通信することが可能である。しかし、アクセサリデバイス１０７は、場合によっては、通信、出力電力、及び／又はバッテリのうちの１つ以上が限定されているので、アクセサリデバイス１０７は、いくつかの例では、基地局１０２との通信、よって、ネットワーク１００への通信の目的のためのプロキシとして、ＵＥ１０６Ｂを選択的に利用することがある。言い換えると、アクセサリデバイス１０７は、そのセルラ通信を行うためにＵＥ１０６Ｂのセルラ通信能力を選択的に使用することがある。アクセサリデバイス１０７の通信能力における限定は、例えば、出力電力、若しくはサポートされる無線アクセス技術（ＲＡＴ）の限定に起因して、永続的であることがあり、又は、例えば、現在のバッテリ状態、ネットワークにアクセスできないこと、若しくは受信状態が悪いことに起因して、一時的であることがある。
【００４６】
図２は、基地局１０２と通信している例示的なアクセサリデバイス１０７を示す。アクセサリデバイス１０７は、スマートウォッチ等のウェアラブルデバイスであってもよい。アクセサリデバイス１０７は、セルラ通信能力を含んでもよく、図示のように、基地局１０２と直接通信が可能であってもよい。アクセサリデバイス１０７が基地局と直接通信するように構成されるとき、アクセサリデバイスは、「自律モード」にあると言われることがある。
【００４７】
アクセサリデバイス１０７はまた、短距離通信プロトコルを使用して、プロキシデバイス又は中間デバイスと呼ばれる別のデバイス（例えば、ＵＥ１０６）と通信することが可能であってもよく、例えば、アクセサリデバイス１０７は、いくつかの実施形態によれば、ＵＥ１０６と「ペアリングされ」てもよい。いくつかの状況では、アクセサリデバイス１０７は、基地局１０２とセルラ音声／データを通信するためのこのプロキシデバイスのセルラ機能を使用してもよい。言い換えると、アクセサリデバイス１０７は、ＵＥ１０６への短距離リンクを介して基地局１０２に向けて音声／データパケットを提供してもよく、ＵＥ１０６がそのセルラ機能を使用して、アクセサリデバイス１０７の代わりに、基地局にこの音声／データを送信（又は中継）してもよい。同様に、基地局によって送信され、アクセサリデバイス１０７に向けられる音声／データパケットは、ＵＥ１０６のセルラ機能によって受信されてもよく、その後、短距離リンクを介してアクセサリデバイスに中継されてもよい。上述したように、ＵＥ１０６は、携帯電話、タブレット若しくは任意の他の種類のハンドヘルドデバイス、メディアプレーヤ、コンピュータ、ラップトップ、又は事実上任意の種類の無線デバイスであってもよい。アクセサリデバイス１０７が中間又はプロキシデバイスのセルラ機能を使用して基地局と間接的に通信するように構成されるとき、アクセサリデバイスは、「中継モード」にあると言われることがある。
【００４８】
ＵＥ１０６及び／又は１０７は、セルラモデムと呼ばれる、セルラ通信を促進するためのデバイス又は集積回路を含んでもよい。セルラモデムは、本明細書で説明されるように１つ以上プロセッサ（処理要素）及び様々なハードウェア構成要素を含んでもよい。ＵＥ１０６及び／又は１０７は、１つ以上のプログラム可能プロセッサ上で命令を実行することによって、本明細書で説明される方法の実施形態のうちのいずれかを実行してもよい。代替的に、又は更に、１つ以上のプロセッサは、本明細書で説明された方法の実施形態のうちのいずれか、又は本明細書で説明された方法の実施形態のうちのいずれかの任意の部分を実行するように構成されたＦＰＧＡ（フィールドプログラマブルゲートアレイ）等の１つ以上のプログラム可能ハードウェア要素、又はその他の回路を含んでもよい。本明細書で説明されるセルラモデムは、本明細書で定義されるようなＵＥデバイス、本明細書で定義されるような無線デバイス、又は本明細書で定義されるような通信デバイスで使用されてもよい。本明細書で説明されるセルラモデムはまた、基地局又はその他の同様のネットワーク側デバイスで使用されてもよい。
【００４９】
ＵＥ１０６及び／又は１０７は、２つ以上の無線通信プロトコル又は無線アクセス技術を使用して通信するための１つ以上のアンテナを含んでもよい。いくつかの実施形態では、ＵＥデバイス１０６／１０７は、単一の共有無線機を使用して通信するように構成されてもよい。共有無線機は、無線通信を行うための、単一のアンテナに連結することができるか、又は複数のアンテナ（例えば、ＭＩＭＯの場合）に連結することができる。代替的に、ＵＥデバイス１０６／１０７は、２つ以上の無線機を含んでもよい。他の構成もまた可能である。
【００５０】
アクセサリデバイス１０７は、いくつかの実施形態では、従来のスマートフォンと比べて、小さいフォームファクタを有する様々な種類のデバイスのうちのいずれかであることがあり、従来のスマートフォンと比べて、限定された通信能力、限定された出力電力、又は限定されたバッテリ寿命のうちの１つ以上を有することがある。上述したように、いくつかの実施形態では、アクセサリデバイス１０７は、スマートウォッチ又はその他の種類のウェアラブルデバイスである。別の例として、アクセサリデバイス１０７は、現在Ｗｉ−Ｆｉのホットスポットの近くになく、よって現在Ｗｉ−Ｆｉを介してインターネットと通信することが可能でない、Ｗｉ−Ｆｉ能力を有する（及び、場合によっては、限定されたセルラ通信能力を有する、又はセルラ通信能力を有さない）ｉＰａｄ等のタブレットデバイスであることがある。よって、上記定義されたように、用語「アクセサリデバイス」は、いくつかの例では、限定された又は低減した通信能力を有し、よって１つ以上のアプリケーション及び／又はＲＡＴに対する通信の目的ためのプロキシとしてＵＥ１０６を選択的かつ日和見的に利用し得る、様々な種類のデバイスのうちのいずれかを指す。ＵＥ１０６がプロキシとしてアクセサリデバイス１０７によって使用されることが可能であるとき、ＵＥ１０６は、アクセサリデバイス１０７に対するコンパニオンデバイスと呼ばれることがある。
図３−ＵＥデバイスのブロック図
【００５１】
図３は、ＵＥデバイス１０６又は１０７等のＵＥデバイスの１つの考えられるブロック図を示す。図示のように、ＵＥデバイス１０６／１０７は、様々な目的のための諸部分を含み得る、システムオンチップ（system on chip、ＳＯＣ）３００を含み得る。例えば、図示のとおり、ＳＯＣ３００は、ＵＥ１０６／１０７のためのプログラム命令を実行し得るプロセッサ（単数又は複数）３０２と、グラフィック処理を実行し、ディスプレイ３６０に表示信号を提供し得る表示回路３０４とを含んでもよい。ＳＯＣ３００はまた、例えば、ジャイロスコープ、加速度計、及び／又は様々なその他の動き検知構成要素のうちのいずれかを使用して、ＵＥ１０６の動きを検知し得る動き検知回路３７０を含んでもよい。プロセッサ（単数又は複数）３０２はまた、プロセッサ（単数又は複数）３０２からアドレスを受信し、それらのアドレスを、メモリ（例えば、メモリ３０６、読み出し専用メモリ（read only memory、ＲＯＭ）３５０、フラッシュメモリ３１０）内の位置に変換するように構成されてもよい、メモリ管理ユニット（memory management unit、ＭＭＵ）３４０に連結されてもよい。ＭＭＵ３４０は、メモリ保護及びページテーブル変換又はセットアップを実行するように構成することができる。いくつかの実施形態では、ＭＭＵ３４０は、プロセッサ（単数又は複数）３０２の一部として含めることができる。
【００５２】
図示のとおり、ＳＯＣ３００は、ＵＥ１０６／１０７の様々なその他の回路に連結してもよい。例えば、ＵＥ１０６／１０７は、（例えば、ＮＡＮＤフラッシュ３１０を含む）様々な種類のメモリ、（例えば、コンピュータシステム、ドック、充電ステーション等に連結するための）コネクタインタフェース３２０、ディスプレイ３６０、及び（例えば、ＬＴＥ、ＬＴＥ−Ａ、ＣＤＭＡ２０００、Ｂｌｕｅｔｏｏｔｈ、ＷｉＦｉ、ＮＦＣ、ＧＰＳ等のための）無線通信回路３３０を含み得る。
【００５３】
ＵＥデバイス１０６／１０７は、基地局及び／又はその他のデバイスとの無線通信を実行するための、少なくとも１つのアンテナ、いくつかの実施形態では、複数のアンテナ３３５ａ及び３３５ｂを含んでもよい。例えば、ＵＥデバイス１０６／１０７は、アンテナ３３５ａ及び３３５ｂを使用して、無線通信を実行することができる。上述したように、ＵＥデバイス１０６／１０７は、いくつかの実施形態では、複数の無線通信規格又は無線アクセス技術（ＲＡＴ）を使用して無線で通信するように構成されてもよい。
【００５４】
無線通信回路３３０は、Ｗｉ−Ｆｉ論理３３２、セルラモデム３３４、及びＢｌｕｅｔｏｏｔｈ論理３３６を含んでもよい。Ｗｉ−Ｆｉ論理３３２は、ＵＥデバイス１０６／１０７が８０２．１１ネットワーク上でＷｉ−Ｆｉ通信を実行することを可能にするためのものである。Ｂｌｕｅｔｏｏｔｈ論理３３６は、ＵＥデバイス１０６／１０７がＢｌｕｅｔｏｏｔｈ通信を実行することを可能にするためのものである。セルラモデム３３４は、１つ以上のセルラ通信技術に従って、セルラ通信を実行することが可能なより低電力のセルラモデムであってもよい。
【００５５】
本明細書でされるように、ＵＥ１０６／１０７は、本開示の実施形態を実施するためのハードウェア及びソフトウェア構成要素を含んでもよい。例えば、ＵＥデバイス１０６／１０７の無線通信回路３３０（例えば、セルラモデム３３４）の１つ以上の構成要素は、例えば、記憶媒体（例えば、非一時的コンピュータ可読記憶媒体）に記憶されたプログラム命令を実行するプロセッサによって、ＦＰＧＡ（フィールドプログラマブルゲートアレイ）として構成されたプロセッサによって、及び／又はＡＳＩＣ（特定用途向け集積回路）を含み得る専用ハードウェア構成要素を使用して、本明細書で説明される方法の一部又は全てを実施するように構成されてもよい。
図４−基地局のブロック図
【００５６】
図４は、いくつかの実施形態による、基地局１０２の例示的なブロック図を示す。図４の基地局は、考えられる基地局の単なる一例にすぎないことに留意されたい。図示のとおり、基地局１０２は、基地局１０２に関するプログラム命令を実行することができるプロセッサ（単数又は複数）４０４を含み得る。プロセッサ（単数又は複数）４０４はまた、プロセッサ（単数又は複数）４０４からアドレスを受信し、それらのアドレスを、メモリ（例えば、メモリ４６０及び読み出し専用メモリ（read only memory、ＲＯＭ）４５０）中のロケーションに、あるいはその他の回路又はデバイスに変換するように構成することができるメモリ管理ユニット（ＭＭＵ）４４０に連結することができる。
【００５７】
基地局１０２には、少なくとも１つのネットワークポート４７０を含めることができる。ネットワークポート４７０は、電話網に連結し、ＵＥデバイス１０６／１０７等の複数のデバイスに、図１及び図２において上述したような電話網へのアクセスを提供するように構成することができる。
【００５８】
ネットワークポート４７０（又は、追加ネットワークポート）は更に、又は代替的に、セルラネットワーク、例えば、セルラサービスプロバイダのコアネットワーク、に連結するように構成することができる。コアネットワークは、ＵＥデバイス１０６／１０７等の複数のデバイスに、移動性に関連するサービス及び／又はその他のサービスを提供することができる。例えば、コアネットワークは、例えば、モビリティ管理サービスを提供するためのモビリティ管理エンティティ（ＭＭＥ）と、例えば、インターネット等への外部データ接続を提供するためのサービングゲートウェイ（serving gateway、ＳＧＷ）及び／又はパケットデータネットワークゲートウェイ（packet data network gateway、ＰＧＷ）と、を含んでもよい。いくつかの例では、ネットワークポート４７０は、コアネットワークを介して電話網に連結してもよく、及び／又はコアネットワークは、（例えば、セルラサービスプロバイダによってサービスされるその他のＵＥデバイスの中での）電話網を提供してもよい。
【００５９】
基地局１０２は、少なくとも１つのアンテナ４３４と、場合によっては複数のアンテナを含んでもよい。アンテナ（単数又は複数）４３４は、無線送受信器として動作するように構成することができ、無線機４３０によって、ＵＥデバイス１０６／１０７と通信するように更に構成され得る。アンテナ（単数又は複数）４３４は、通信チェーン４３２を介して、無線機４３０と通信する。通信チェーン４３２は、受信チェーン、送信チェーン又はその両方であってもよい。無線機４３０は、ＬＴＥ、ＬＴＥ−Ａ、ＧＳＭ、ＵＭＴＳ、ＣＤＭＡ２０００、Ｗｉ−Ｆｉ等を含むがこれらには限定されない様々な無線通信規格によって、通信するように構成され得る。
【００６０】
基地局１０２は、複数の無線通信規格を使用して無線で通信するように構成され得る。いくつかの例では、基地局１０２は、複数の無線機を備えることができ、これによって、基地局１０２は、複数の無線通信技術に従って通信することができる。例えば、一つの可能性として、基地局１０２は、ＬＴＥに従って通信を実行するためのＬＴＥ無線機、並びに、Ｗｉ−Ｆｉに従って通信するためのＷｉ−Ｆｉ無線機を備えてもよい。このような場合、基地局１０２は、ＬＴＥ基地局及びＷｉ−Ｆｉアクセスポイントの両方として動作することができる。別の可能性として、基地局１０２は、マルチモード無線機を備えることができる。このマルチモード無線機は、複数の無線通信技術（例えば、ＬＴＥとＷｉ−Ｆｉ、ＬＴＥとＵＭＴＳ、ＬＴＥとＣＤＭＡ２０００、ＵＭＴＳとＧＳＭ、等）のうちのいずれかに従って、通信を行うことができる。
【００６１】
本明細書で更にこの後に説明するように、ＢＳ１０２は、本明細書で説明される特徴を実施するためのハードウェア及びソフトウェア構成要素を含むことができる。基地局１０２のプロセッサ４０４は、例えば、記憶媒体（例えば、非一時的コンピュータ可読記憶媒体）に記憶されたプログラム命令を実行することによって、本明細書で説明される方法の一部又は全てを実施するように構成され得る。あるいは、プロセッサ４０４は、ＦＰＧＡ（フィールドプログラマブルゲートアレイ）等のプログラム可能ハードウェア要素として、又はＡＳＩＣ（特定用途向け集積回路）又はこれらの組み合わせとして、構成され得る。あるいは（又は追加して）、ＢＳ１０２のプロセッサ４０４は、他の構成要素４３０、４３２、４３４、４４０、４５０、４６０、４７０のうちの１つ以上と連携して、本明細書で説明する機能の一部若しくはすべてを実施する又は実施をサポートするように、構成され得る。
図５−通信フロー図
【００６２】
セルラ通信技術が発達するにつれ、ますます多くのセルラ通信対応デバイスが配備されることが予想される。デバイスの数が増加し続ける理由の１つは、マシンタイプ通信（machine type communication、ＭＴＣ）を実行するデバイスの開発及び普及を含む。「モノのインターネット」の一部を形成する静止配備デバイス、ウェアラブルデバイス、及び／又はその他のデバイスを含み得るそのようなデバイスは、通常、頻繁に、及び／又は定期的に小さなデータ伝送を実行するように設計されることがある。
【００６３】
そのようなデバイスに対する潜在的により限定された予想される使用シナリオを考慮して、ＭＴＣを実行することが主として予想される使用デバイスは、通常、例えば、サイズ、製造のコスト、及び／又はそのようなデバイスの消費者に対するコストを低減させるために、多くのその他の一般的なセルラデバイス（例えば、ハンドヘルドセルラ電話等）よりも低い複雑度のデバイスであることがある。したがって、多くの例では、そのようなデバイスの通信能力（例えば、送信／受信アンテナの数、ＲＦチェーンの数、送信電力、バッテリ能力、通信範囲、送信／受信ピークデータレート、サポートされる帯域幅等）は、相対的に限定されることがある。例えば、多くのそのようなデバイスは、リンクバジェットが限定されたデバイスと考えられることがある。
【００６４】
このことは、より大きな通信能力を有する無線デバイスを主としてサポートする無線通信システムにおいて困難があり得る。したがって、少なくともいくつかの無線通信技術は、リンクバジェットが限定されたデバイス（例えば、リンクバジェットが限定されていないそれらの無線デバイスに加えて）をサポートする方式で改訂及び／又は開発されている。
【００６５】
ＬＴＥ等の可変帯域幅通信チャネルを有する通信システムにおける、リンクバジェットが限定されたデバイスに関する、及び、より一般的に無線通信に関する１つの考えられる考慮要素として、狭帯域通信モードで動作するとき（例えば、より少量の帯域幅を使用して）と、広帯域通信モードで動作するとき（例えば、より大量の帯域幅を使用して）とで、無線デバイスの電力消費において相当な差異が存在することがある。更に、アップリンク及びダウンリンク通信に関する無線デバイスの通信要求は、必ずしも等しくないことがある。よって、少なくともいくつかの例では、無線デバイスの通信帯域幅を動的に管理するとともに、アップリンク及びダウンリンク通信のための非対称帯域幅割り当てをサポートすることにより、無線デバイスの電力消費プロファイル、無線デバイスの総スループット、及び／又は全体的な通信システムのリソース使用効率のうちのいずれか又は全てを改善することができる。
【００６６】
したがって、図５は、いくつかの実施形態による、無線デバイスのアップリンク及びダウンリンク通信帯域幅を別個に割り当て、動的に調節する方法を示す通信フロー図である。様々な実施形態では、図示する方法の要素のうちのいくつかは、同時に実行されてもよく、図示するものとは異なる順序で実行されてもよく、その他の方法の要素で置き換えられてもよく、又は省略されてもよい。必要に応じて、追加の方法要素をも実行してもよい。
【００６７】
図５の方法の態様は、図１〜３に関して示され、説明されたＵＥ１０６若しくは１０７等の無線デバイス、並びに／又は図１、２、及び４に関して示され、説明されたような基地局１０２で実施されてもよく、あるいはより一般的に、必要に応じて、その他のデバイスの中でもとりわけ、上記図で示されたコンピュータシステム又はデバイスのうちのいずれかとともに実施されてもよい。図５の方法の少なくともいくつかの要素は、通信技術の使用、並びに／又はＬＴＥ及び／若しくは３ＧＰＰ仕様書と関連付けられた特徴に関する方式で説明され、そのような説明は、本開示に限定することを意図しておらず、図５の方法の態様は、必要に応じて、任意の適切な無線通信システムで使用されてもよい。図示のように、この方法は、以下のとおり動作することができる。
【００６８】
５０２では、無線デバイス及び基地局は、セルラ通信リンクを確立してもよい。例えば、基地局は、セルを提供してもよく、無線デバイスは、基地局によって提供されるセルにキャンプオン（camp on）してもよい（例えば、セルは、無線デバイスに対するサービングセルであってもよい）。サービングセルにキャンプオンするために、いくつかの実施形態によれば、無線デバイスは、サービングセルが存在することを検出し、時間同期を取得するとともに、サービングセルに対するシステム情報を復号し、セルにアタッチしてもよい（例えば、アタッチ手順を実行することによって）。別の可能性として、無線デバイスは、始めに異なるサービングセルにキャンプオンしていることがあるが、セル再選択手順又は（例えば、ネットワークによりアシストされる）ハンドオーバ手順の結果として基地局によって提供されるセルにアタッチしていることがある。無線デバイスは、サービングセルにキャンプオンしている間の様々な時に、アイドルモードで動作してもよく（例えば、無線リソース制御（radio resource control、ＲＲＣ）接続が確立されない間に）、及び／又は接続モードで動作してもよい（例えば、ＲＲＣ接続が確立されている間に）。
【００６９】
無線デバイスと基地局との間の通信リンクは、セルラサービスプロバイダ（例えば、それによって無線デバイスのユーザがセルラサービスを提供するための加入者契約及び／又はその他の契約を有し得る）のコアネットワーク等の、セルラネットワークへの通信リンクを無線デバイスに提供することができる。サービングセルとの接続モードで動作するとき、セルラネットワークは、したがって、ユーザデバイスと、その他のユーザデバイス、公衆交換電話網、インターネット、様々なクラウドベースサービス等の、セルラネットワークに連結した様々なサービス及び／又はデバイスとの間の接続性を提供することができる。異なる特性を有する様々な考えられるデータタイプが、サービングセルを介して伝送されてもよい。更に、無線デバイスとサービングセルとの間のシグナリング機能を確立し、維持し、認識する、及び／又は、他の方法で提供するために、様々なシグナリングメッセージが様々な時に交換されてもよい。
【００７０】
５０４では、基地局は、無線デバイスに対するアップリンク及びダウンリンク帯域幅割り当てを決定してもよい。アップリンク及びダウンリンク帯域幅割り当ては、セルラ通信リンクの通信パラメータに含まれてもよい。いくつかの実施形態によれば、アップリンク及びダウンリンク帯域幅割り当てはそれぞれ、最大帯域幅を表すことができ、その最大帯域幅内で、基地局は、例えば、少なくともアップリンク及び／又はダウンリンク帯域幅割り当てが基地局によって更新されるまで、アップリンク及びダウンリンク通信のそれぞれのために無線リソースを無線デバイスに割り当てる。アップリンク及びダウンリンク帯域幅割り当ては、様々な可能性の中で、いくつかの別個の帯域幅割り当てオプションから選択されてもよく、又は考えられるアップリンク及びダウンリンク帯域幅割り当ての連続した範囲から選択されてもよい。例えば、１つの可能性として、ＬＴＥセルは、基地局によって提供されるセルの最大帯域幅まででＬＴＥに従った様々な考えられるサポートされるセル幅の中で、例えば、１．４ＭＨｚ、３ＭＨｚ、５ＭＨｚ、１０ＭＨｚ、１５ＭＨｚ、及び２０ＭＨｚの中で、無線デバイスに対する帯域幅割り当てを選択してもよい。いくつかの実施形態では、選択は更に、又は代替的に、例えば、そのデバイスカテゴリに基づく、無線デバイスの最大動作帯域幅によって限定されることがあり、例えば、いくつかの無線デバイスは、いくつかの実施形態によれば、最大で５ＭＨｚの通信帯域幅に限定されることがあり、そのケースでは、帯域幅割り当ては、１．４ＭＨｚ、３ＭＨｚ、又は５ＭＨｚの中から選択されてもよい。例えば、ＬＴＥ又はその他の無線通信システムに従って、任意の数のその他の考えられる粒度のアップリンク及びダウンリンク帯域幅割り当て選択も可能である。
【００７１】
無線デバイスに対するアップリンク及びダウンリンク帯域幅割り当てを決定することは、様々な考慮要素のうちのいずれかに基づいてもよい。いくつかの実施形態によれば、アップリンク帯域幅割り当ては、あるアップリンク帯域幅割り当て選択基準に基づいて決定されてもよく、ダウンリンク帯域幅割り当ては、あるダウンリンク帯域幅割り当て選択基準に基づいて決定されてもよい。アップリンク帯域幅割り当て選択基準は、ダウンリンク帯域幅割り当て選択基準とは異なってもよく、それは、アップリンク帯域幅割り当てがダウンリンク帯域幅割り当てと異なることをもたらし得る。例えば、アップリンク帯域幅割り当てに従って割り当てられる帯域幅の量は、ダウンリンク帯域幅割り当てに従って割り当てられる帯域幅の量とは異なる量の帯域幅となることがある。
【００７２】
いくつかの実施形態によれば、アップリンク及びダウンリンク帯域幅割り当て選択基準は、様々な可能性の中で、無線デバイスのデバイスカテゴリ（例えば、ＵＬカテゴリ、ＤＬカテゴリ、全体カテゴリ等）、無線デバイスに対する予想される今後のアップリンクトラフィック量及び／若しくはパターン、無線デバイスに対する予想される今後のダウンリンクトラフィック量及び／若しくはパターン、セルラ通信リンクに対するチャネル品質情報（例えば、セルラ通信リンクのアップリンク通信チャネル若しくはダウンリンク通信チャネルのうちのいずれか若しくは両方に関する）のうちのいずれか若しくは全てを含んでもよく、並びに／又はそれらに基づいてもよい。
【００７３】
アップリンク及びダウンリンク帯域幅割り当て選択のうちのいずれか又は両方のための基準のうちのいくつかは、いくつかの実施形態によれば、無線デバイスから基地局によって受信される情報に少なくとも部分的に基づいてもよい。例えば、いくつかの実施形態によれば、無線デバイスは、時々及び／又は定期的に、無線デバイスに対する今後のアップリンクトラフィックの予想量を示すバッファステータスレポート（例えば、無線デバイスが、無線デバイスによってバッファリングされたアップリンクデータの量に基づいて生成し、基地局に送信し得る）を提供してもよい。別の例として、無線デバイスは、時々及び／又は定期的に、セル測定（例えば、サービングセル測定、隣接セル測定等）を実行し、それらの測定の結果を基地局に（例えば、様々な可能性の中で、直接、又はそれらの測定に基づいて生成されるチャネル品質情報として）提供してもよい。
【００７４】
更に、又は代替的に、アップリンク及びダウンリンク帯域幅割り当て選択のうちのいずれか又は両方のための基準のうちのいくつかは、いくつかの実施形態によれば、基地局によって生成及び／又は記憶される情報に少なくとも部分的に基づいてもよい。例えば、基地局は、無線デバイスに対する今後のダウンリンクトラフィックの予想量の指示として、無線デバイスに対してバッファリングされたダウンリンクデータの量を監視してもよい。別の例として、基地局は、時々及び／又は定期的に、無線デバイスと基地局との間の通信リンクのチャネル品質に関する測定を実行してもよく（例えば、アップリンクサウンディング基準信号（sounding reference signals、ＳＲＳ）及び／又は様々なその他の考えられる技術のうちのいずれかを使用して）、それらの測定に少なくとも部分的に基づいて通信リンクのチャネル品質を決定してもよい。
【００７５】
１つの可能性として、ダウンリンク帯域幅選択は、無線デバイスのデバイスカテゴリ（例えば、ダウンリンク通信に関して、及び／又は、一般的に、利用可能なデバイスのカテゴリ化の粒度に応じて）、今後のダウンリンクトラフィックの予想量、並びにセルラ通信リンクのチャネル品質（例えば、少なくともダウンリンク通信に対する）の組み合わせに基づいてもよい。
【００７６】
別の可能性として、アップリンク帯域幅選択は、無線デバイスのデバイスカテゴリ（例えば、アップリンク通信に関して、及び／又は、一般的に、利用可能なデバイスのカテゴリ化の粒度に応じて）、今後のアップリンクトラフィックの予想量、並びにセルラ通信リンクのチャネル品質（例えば、少なくともアップリンク通信に対する）の組み合わせに基づいてもよい。
【００７７】
いくつかの例では、アップリンク送信電力が制約されることがある（例えば、様々な理由の中で、設計選択及び／又は規制に起因して）、いくつかの低複雑度のデバイス（例えば、カテゴリＭ１と呼ばれることがあるＬＴＥ  Ｒｅｌ−１３  ＭＴＣデバイス、及び／又はカテゴリＭ２、Ｍ３、又は別の（例えば、今のところ決定されていない）ラベルと呼ばれることがあるＬＴＥ  Ｒｅｌ−１４  ＭＴＣデバイス）は、いくつかのシナリオでは、相対的に狭帯域のアップリンク通信を実行するときに省電力及び／又はより高いスループットが可能であり、その他のシナリオでは、相対的に広帯域のアップリンク通信を実行するときにより高いスループットが可能である場合があることに留意されたい。例えば、セル境界、又は他の場合でリンクバジェットが課題となるシナリオでは、総アップリンク送信電力の限定と共に信号条件が、アップリンク送信電力が集中し得るより狭い帯域幅を使用する場合と同様の、又はそれよりも低い正味スループットをもたらすことがあるので、そのようなデバイスは、より大きなアップリンク帯域幅からの利益を受けないことがある。一方で、良好な信号条件では、例えば、総アップリンク送信電力の限定が、良好な信号条件においてはアップリンク送信の復号に成功するための基地局の能力に実質的に影響を与えないので、そのようなデバイスは、より大きなアップリンク帯域幅（例えば、より多数の無線リソースに対応する）を使用して、より高いスループットを得ることが可能となることがある。しかし、送信されることになるアップリンクデータが相対的に少ない場合、無線デバイスが良好な信号条件にあるときでさえ、より狭いアップリンク帯域幅で動作することが有益となることがあり、なぜならば、例えば、そのような動作が無線デバイスによる電力消費を低減させることができ、より大きな割合の無線リソースが基地局によってその他のデバイスに割り当てられることが可能となるからである（例えば、より大きなアップリンクトラフィック要求を有するデバイスに更なるリソースを提供し、及び／又はより多数のデバイスにリソースを提供するために）。
【００７８】
よって、１つの考えられる例として、１つの組の実施形態によれば、所与の（「第１の」）デバイスタイプに対し、アップリンク帯域幅割り当てが「狭帯域」アップリンク帯域幅割り当て又は「広帯域」アップリンク帯域幅割り当てから選択されてもよい。無線デバイスからの予想される今後のアップリンクデータの量がデータ量閾値を上回り、セルラ通信リンクが現在良好な信号条件を経験している場合、広帯域帯域幅割り当てが選択されてもよい。代替的に、無線デバイスからの予想される今後のアップリンクデータの量がデータ量閾値を下回り、又はセルラ通信リンクが現在良好な信号条件を経験していない場合、狭帯域帯域幅割り当てが選択されてもよい。この例は、例示を目的に提供され、限定することを意図しておらず、考えられる帯域幅割り当て選択の数に関するこの例に対する変形及び／若しくは代替物を潜在的に含む、任意の数のその他のアップリンク及びダウンリンク帯域幅割り当て選択アルゴリズム、任意の考えられる帯域幅割り当て選択が選択される条件、並びに／又は様々な他の態様のうちのいずれかも可能である、ことに留意されたい。
【００７９】
上述したように、無線デバイスに対するアップリンク帯域幅割り当て及び無線デバイスに対するダウンリンク帯域幅割り当ては、異なる量の帯域幅を含んでもよい。例えば、ダウンリンク帯域幅割り当ては、アップリンク帯域幅割り当てよりも大きくてもよく、その逆でもよい。アップリンク帯域幅割り当て及びダウンリンク帯域幅割り当ては、いくつかの実施形態によれば、同一の量の帯域幅を含むことも可能であってもよい。
【００８０】
５０６では、基地局は、アップリンク及びダウンリンク帯域幅割り当ての指示を無線デバイスに提供してもよい。指示は、無線リソース制御（ＲＲＣ）情報要素（information element、ＩＥ）又はメディアアクセス制御（media access control、ＭＡＣ）制御要素（control element、ＣＥ）を潜在的に含むが、それらに限定されない様々な方法のうちのいずれかで提供されてもよい。例えば、１つの可能性として、基地局は、アップリンク帯域幅割り当てを示すために指定されたフィールド及びダウンリンク帯域幅割り当てを示すために指定された別のフィールドを含み得る、ＲＲＣＣｏｎｎｎｅｃｔｉｏｎｒｅｃｏｎｆｉｇｕｒａｔｉｏｎメッセージを無線デバイスに送信することによって、アップリンク帯域幅割り当て及びダウンリンク帯域幅割り当ての指示を提供してもよい。
【００８１】
５０８では、基地局及び無線デバイスは、アップリンク及びダウンリンク帯域幅割り当てを使用して通信してもよい。先述したように、アップリンク及びダウンリンク帯域幅割り当ては、少なくともいくつかの実施形態によれば、基地局及び無線デバイスが通信することができる最大のアップリンク及びダウンリンク帯域幅を表してもよい。よって、いくつかの実施形態によれば、基地局は、ある無線フレーム及び／又は無線フレーム内のサブフレームにおいて割り当てられたアップリンク及びダウンリンク帯域幅よりも小さい量の帯域幅に対応する無線リソースを割り当ててもよいが、どの時点においても、割り当てられたアップリンク及びダウンリンク帯域幅よりも大きい量の帯域幅に対応する無線リソースを割り当てることはできない。
【００８２】
例えば、基地局は、無線デバイスに向けられた基地局による送信の一部が、最大で割り当てられたダウンリンク帯域幅を包含するようにダウンリンクデータを無線デバイスに提供してもよく、最大で割り当てられたアップリンク帯域幅である帯域幅上で無線デバイスからアップリンクデータを受信してもよい。言い換えると、割り当てられた帯域幅から使用される実際の帯域幅の部分は、少なくともいくつかの実施形態によれば、（例えば、無線フレームから無線フレームへの、及び／又は、潜在的には、無線フレーム内のサブフレームからサブフレームへのリソース割り当ての変動に応じて）割り当てられたダウンリンク帯域幅及び／又はアップリンク帯域幅未満となることがある。
【００８３】
アップリンク及びダウンリンク帯域幅割り当てのうちのいずれか、又は両方は、基地局によって動的に調節されてもよい。例えば、いくつかの実施形態によれば、基地局は、例えば、アップリンク及びダウンリンク帯域幅割り当てを無線デバイスに最初に割り当てた後のある時点に、無線デバイスに対するアップリンク帯域幅割り当て又はダウンリンク帯域幅割り当ての一方又は両方を修正すると決定してもよい。基地局は、１つの可能性として、変化する条件に基づいて、無線デバイスに対するアップリンク及び／又はダウンリンク帯域幅割り当てを修正すると決定してもよい。例えば、１つの可能性として、基地局は、前のアップリンク帯域幅割り当てが少なくとも部分的に基づいていたバッファステータスレポートが、データ量閾値を上回る今後の予想アップリンクデータ量を示していた場合に、データ量閾値を下回る今後の予想アップリンクデータ量を示すバッファステータスレポートを受信したこと、又はその逆に基づいて、無線デバイスに対するアップリンク帯域幅割り当てを修正すると決定してもよい。別の可能性として、基地局は、無線デバイスに対する信号条件が変化した（例えば、チャネル条件が、前のアップリンク帯域幅割り当てが少なくとも部分的に基づいているチャネル条件に対してチャネル条件の閾値を跨いだ）と判定したことに基づいて、無線デバイスに対するアップリンク帯域幅割り当てを修正すると決定してもよい。そのような例では、基地局は、修正されたアップリンク帯域幅割り当て及び／又は修正されたダウンリンク帯域幅割り当ての指示を無線デバイスに提供してもよい。その後、基地局及び無線デバイスは、修正された帯域幅割り当てを使用して通信してもよい。
【００８４】
よって、無線デバイスに対するアップリンク及び／又はダウンリンク帯域幅割り当ては、いくつかの実施形態によれば、半静的と考えられてもよい。これは、無線デバイスが、狭帯域の動作から潜在的に利益を受けるのに十分な期間の間に、その送受信機／無線構成要素をアップリンク及びダウンリンク通信のための適切な帯域幅に構成することを可能とすることができるとともに、無線条件、トラフィックパターン、及び／又は他の考慮要素に基づいて、アップリンク及び／又はダウンリンク帯域幅割り当てを時々調節するための柔軟性を維持することを可能とすることができる。これは次に、少なくともいくつかの実施形態によれば、無線デバイスによるより良好な性能及び／又はより効率的な動作（例えば、低減した電力消費を潜在的に含む）、並びにより効率的なシステムの全体的な動作を可能とすることができる。
図６及び追加情報
【００８５】
図６及び以下の追加情報は、図５の方法の更なる考慮要素及び考えられる実施態様の詳細の例示であるとして提供され、本開示を全体として限定することを意図していない。以下の本明細書で提供される詳細に対して多数の変形及び代替形態が、可能であり、本開示の範囲内と考えられるべきである。
【００８６】
３ＧＰＰ  Ｒｅｌｅａｓｅ  １３（Ｒｅｌ−１３）では、低複雑度のＭＴＣデバイスに対する拡張及びＭＴＣ  ＵＥに対するカバレッジ拡張（coverage enhancements、ＣＥ）を含む、ＭＴＣ（マシンタイプ通信）に対する拡張が導入されている。拡張の１つの技術的領域は、帯域幅低減低複雑度（Bandwidth Reduced Low Complexity、ＢＬ）ＵＥのサポートである。そのようなＵＥをサポートするために、新たなＲｅｌ−１３の低複雑度ＵＥのカテゴリ／タイプ、すなわち、任意のＬＴＥの二重通信モード（全二重（full duplex、ＦＤ）周波数分割二重通信（frequency division duplexing、ＦＤＤ）、半二重（half duplex、ＨＤ）ＦＤＤ、時間分割二重通信（time division duplexing、ＴＤＤ））におけるＭＴＣの動作のためのカテゴリＭ１が導入されている。そのようなＵＥは単に、ダウンリンク及びアップリンクでは、１．４ＭＨｚの（６個の物理リソースブロック（physical resource blocs、ＰＲＢ）の）ＲＦ帯域幅をサポートする必要がある。そのような帯域幅低減ＵＥは、任意のＬＴＥシステムの帯域幅内で動作することが可能であるはずである。拡張の別の技術的領域は、拡張カバレッジにあるＵＥのサポートを含む。
【００８７】
３ＧＰＰ  Ｒｅｌｅａｓｅ  １４（Ｒｅｌ−１４）では、例えば、ＭＴＣ  ＵＥに対するより高いデータレートを達成するために、ＭＴＣのための更なる拡張（further enhancements for MTC、ＦｅＭＴＣ）ＵＥに関する作業が進行している。より高いデータレートのための重要な態様の１つは、より大きな物理ダウンリンク共有チャネル（physical downlink shared channel、ＰＤＳＣＨ）／物理アップリンク共有チャネル（physical uplink shared channel、ＰＵＳＣＨ）のチャネル帯域幅をサポートすることである。
【００８８】
例えば、１つの可能性として、Ｒｅｌ−１４  ＢＬ  ＵＥ  ＣＥモードＡ及びＣＥモードＢについて、ＲＲＣ接続モードにおけるＰＤＳＣＨに対する最も大きい最大ＵＥチャネル帯域幅は、５ＭＨｚ（２５個のＰＲＢ）となることがある。Ｒｅｌ−１４  ＢＬ  ＵＥ  ＣＥモードＡについて、ＲＲＣ接続モードにおけるＰＵＳＣＨに対する最も大きい最大ＵＥチャネル帯域幅は、５ＭＨｚ（２５個のＰＲＢ）となることがある。Ｒｅｌ−１４  非ＢＬ  ＵＥ  ＣＥモードＡ及びＣＥモードＢについて、ＲＲＣ接続モードにおけるＰＤＳＣＨに対する最も大きい最大ＵＥチャネル帯域幅は、５又は２０ＭＨｚとなることがある。Ｒｅｌ−１４  非ＢＬ  ＵＥ  ＣＥモードＡについて、ＲＲＣ接続モードにおけるＰＵＳＣＨに対する最も大きい最大ＵＥチャネル帯域幅は、５又は２０ＭＨｚとなることがある。このより広い帯域幅の動作は、基地局（例えば、ＬＴＥのコンテキストではｅＮＢと呼ばれる）によって可能とされ得る。
【００８９】
Ｒｅｌ−１４に対するＭＴＣ物理ダウンリンク制御チャネル（ＭＰＤＣＣＨ）は、Ｒｅｌ−１３の設計に従ってもよく、このことは、それが、狭帯域の動作（６個のＲＢ）で動作するＵＥによって復号されることが可能であるという意味を含むことがある。
【００９０】
最新の３ＧＰＰプロトコルでは、ＤＬ及びＵＬの両方に対する送信帯域幅は、ＦＤＤ及びＴＤＤの両方に関して等しい。例えば、ＲＲＣについての３ＧＰＰの仕様書は、以下を記載している。
アップリンク帯域幅
パラメータ：アップリンク帯域幅、ＴＳ３６．１０１［４２、表５．６−１］を参照。ＴＤＤについて、
パラメータは存在せず、アップリンク帯域幅は、ダウンリンク帯域幅に等しい。ＦＤＤについて存在しない場合、
ダウンリンク帯域幅について適用するのと同一の値を適用する。
【００９１】
Ｒｅｌ−１４  ＦｅＭＴＣ  ＵＥについて、５ＨＭｚの最大チャネル帯域幅がＰＤＳＣＨ及びＰＵＳＣＨに対してサポートされる。しかし、いくつかのシナリオでは（例えば、リンクバジェットが困難なシナリオ又はセル境界のシナリオ）、最大５ＭＨｚのチャネル帯域幅がサポートされる場合でさえ、ＦｅＭＴＣデバイスは、ＵＬではより大きな帯域幅から利益を受けず、ＤＬでは、より大きな帯域幅が更なる電力となる。したがって、ｅＮＢスケジューラは、このシナリオを検出し、そのようなシナリオで、ＭＰＤＣＣＨグラントを通じてより少数のＰＲＢを割り当て得る。しかし、例えば、ＰＲＢの数が常にあらゆるサブフレームで６個未満のＰＲＢであることが保証されないことがある。この動的な振舞いは、ＵＥが電力効率の良い送受信機モードで動作することを妨げる。
【００９２】
リソースがＦｅＭＴＣデバイスとレガシＵＥとの間で多重化され得るので、ＦｅＭＴＣ  ＵＥに対する必要とされる／最適な帯域幅よりも大きいことは、より低いシステム能力の効率性をもたらすこともあることに留意されたい。
【００９３】
様々な実施形態によれば、ダウンリンクに対してよりもアップリンクに対してより狭い帯域幅が好ましい例示的なシナリオは、ＦｅＭＴＣデバイスにおいてバッファリングされたＵＬデータが小さい、例えば、ある閾値未満であるとき、ＦｅＭＴＣデバイスに対するＵＬ無線条件が不良であり、若しくは安定していないとき、ＦｅＭＴＣデバイスがセル境界で動作するとき、又は、様々なその他のリンクバジェットが限定されたシナリオのうちのいずれか、を含む。
【００９４】
上述したように、３ＧＰＰシステムでは一般的には、システム帯域幅は、ＵＬ及びＤＬの両方に対して定義される。ＵＥは、ｅＮＢによってシグナリングされる帯域幅で動作する必要がある。しかし、代替策として、少なくともいくつかの実施形態によれば、ＵＬとＤＬとの間で非対称帯域幅割り当てを可能にすることによって、そのバッテリ寿命及び／又はスループットに潜在的に利益を与えることができ、システム全体のリソース使用効率を改善することができる、ＵＥ送受信機の効率的な実施態様を促進するのに役立ち得る。
【００９５】
本明細書で使用されるように、ＵＬとＤＬとの間の非対称帯域幅割り当ては、ＵＥに割り当てられるＤＬ帯域幅及びＵＬ帯域幅が異なり得ることを意味してもよい。ｅＮＢは、その他の考えられる要因の中で、帯域幅割り当てのために、以下の要因、すなわち、ＵＥカテゴリ／能力（非対称帯域幅割り当てはまた、ＤＬ及びＵＬに対するＵＥカテゴリが同一若しくは異なるかにかかわらず、使用され得ることに留意）、ＵＥからのバッファステータスレポート（buffer status report、ＢＳＲ）、上位レイヤからのＤＬ／ＵＬトラフィック要求、並びに／又はＵＥにより経験される無線条件への見識を提供する測定値（例えば、ＵＥから受信され、及び／若しくはｅＮＢにより直接測定される）、のうちのいずれか又は全てを考慮することがある。
【００９６】
ＦｅＭＴＣデバイスへのそのような非対称帯域幅割り当ては、１つの可能性として、例えば、ＲＲＣシグナリングを介してｅＮＢによって半静的に構成され得る。構成の半静的な性質は、少なくともいくつかの実施形態によれば、例えば、より良好な性能及び電力消費を可能にする、送受信機のより良好な動作を可能とすることができる。
【００９７】
少なくともいくつかの実施形態では、割り当てられた帯域幅内でのＰＵＳＣＨ／ＰＤＳＣＨ送信の動的なスケジューリングが可能なままとすることができるように、ＭＰＤＣＣＨは、Ｒｅｌ−１３の設計に従ってもよい。更に、そのような非対称帯域幅割り当ては、様々な可能性の中で、ＦＤＤ  ＵＥ、ＨＤ−ＦＤＤ  ＵＥ、又はＴＤＤ  ＵＥのうちのいずれか又は全てに適用することができることに留意されたい。
【００９８】
よって、ＵＬ帯域幅が限定されることをＵＥが事前に知る場合、ＵＥは、バッテリ寿命を改善すると共に、熱問題をも潜在的に軽減し得る電力最適モードで動作することが可能となり得る。
【００９９】
様々な考えられる技術のうちのいずれかが、ＵＬ及びＤＬ  ＢＳ割り当てをＵＥにシグナリングするために使用されてもよい。いくつかのそのような技術は、そのようなシグナリングをサポートするために１つ以上の３ＧＰＰプロトコルの修正を含んでもよい。例えば、１つの可能性として、新たな又は既存のＲＲＣ情報要素（ＩＥ）は、アップリンク及びダウンリンク帯域幅割り当てを別個にシグナリングする可能性を有するように定義又は修正され得る。そのような情報を含むように修正され得る１つのそのようなＩＥは、例えば、３ＧＰＰ  ３６．３３１で現在定義されているように、ＲａｄｉｏＲｅｓｏｕｒｃｅＣｏｎｆｉｇＣｏｍｍｏｎ  ＩＥを含み得る。例えば、ＲＲＣＣｏｎｎｅｃｔｉｏｎｒｅｃｏｎｆｉｇｕｒａｔｉｏｎメッセージにおけるＰＤＳＣＨ構成に対する情報要素の分岐が、Ｒｅｌ−１４、例えば、「ＤＬ−Ｃｏｎｆｉｇｕｒａｔｉｏｎ−ｒ１４」における「ＤＬ−Ｂａｎｄｗｉｄｔｈ−ｒ１４」で導入され得る。同様に、ＲＲＣＣｏｎｎｅｃｔｉｏｎｒｅｃｏｎｆｉｇｕｒａｔｉｏｎメッセージにおけるＰＵＳＣＨ構成に対する情報要素の分岐が、Ｒｅｌ−１４、例えば、「ＵＬ−Ｃｏｎｆｉｇｕｒａｔｉｏｎ−ｒ１４」における「ＵＬ−Ｂａｎｄｗｉｄｔｈ−ｒ１４」で導入され得る。別の可能性として、３ＧＰＰ仕様書は、ＤＬ及びＵＬ送信帯域幅がＦＤＤ及びＴＤＤの両方に対して同一の値を有するという制限を削除するように修正されることがある。
【０１００】
別の可能性として、３ＧＰＰ  ３６．３０６は、例えば、図６で示された表の部分に従って、柔軟なＤＬ／ＵＬカテゴリの組み合わせと、アップリンク及びダウンリンクに対して異なる値に設定されることがある最大ＵＥチャネル帯域幅とをサポートするように修正されることがある。図示のように、この例示的な表の部分では、ダウンリンク及びアップリンクに対して異なる最大ＵＥチャネル帯域幅を有するエントリが可能であると同様に、ダウンリンク及びのアップリンクの両方に対して同一の最大ＵＥチャネル帯域幅を有するエントリが可能である。図示したエントリに対する変形及び代替物のみならず、任意の数の追加エントリも可能であり、例えば、異なるＵＥ  ＵＬ及びＤＬカテゴリに対して異なる最大ＵＥチャネル帯域幅ＤＬ及びＵＬの値を有するエントリもあり得る。
【０１０１】
上記説明された例示的な実施形態に加え、本開示の更なる実施形態が、様々な形式のうちのいずれかで実現されてもよい。例えば、一部の実施形態は、コンピュータにより実行される方法、コンピュータ可読記憶媒体、又はコンピュータシステムとして実現することができる。他の実施形態は、ＡＳＩＣなどのカスタム設計されたハードウェアデバイスの１つ以上を使用して、実現することができる。更にその他の実施形態では、ＦＰＧＡのような１つ以上のプログラム可能なハードウェア要素を用いて、実現することができる。
【０１０２】
いくつかの実施形態では、非一時的コンピュータ可読記憶媒体は、プログラム命令及び／又はデータを記憶するように構成することができ、このプログラム命令は、コンピュータシステムによって実行される場合には、そのコンピュータシステムに、方法、例えば、本明細書に記載した方法の実施形態のうちのいずれか、又は、本明細書に記載された方法の実施形態の任意の組み合わせ、又は、本明細書に記載された方法の実施形態のうちのいずれかの任意のサブセット、又は、このようなサブセットの任意の組み合わせ、を実行させる。
【０１０３】
いくつかの実施形態では、デバイス（例えば、ＵＥ１０６又は１０７）は、プロセッサ（又はプロセッサの組）及び記憶媒体を含むように構成してもよい。ここで、記憶媒体はプログラム命令を記憶し、プロセッサは、記憶媒体からプログラム命令を読み込み、実行するように構成されている。プログラム命令は、本明細書で説明された様々な方法の実施形態のうちのいずれか（あるいは、本明細書で説明された方法の実施形態の任意の組み合わせ、又は、本明細書で説明された方法の実施形態のいずれかの任意のサブセット、若しくは、このようなサブセットの任意の組み合わせ）を実施するために実行可能である。デバイスは、様々な形態のうちのいずれかで実現されてもよい。
【０１０４】
上記の実施形態は、かなり詳細に記載されているが、上記の開示が完全に理解されると、当業者には、数多くの変形及び変更が明らかとなるであろう。以下の請求項は、このような変形及び変更の全てを包含するように解釈されることを意図している。
【図１】
2019501543.tif 000003
【図２】
2019501543.tif 000004
【図３】
2019501543.tif 000005
【図４】
2019501543.tif 000006
【図５】
2019501543.tif 000007
【図６】
2019501543.tif 000008
【国際調査報告】
2019501543.tif 000009
2019501543.tif 000010